【手続補正書】
【提出日】平成16年6月22日(2004.6.22)
【手続補正１】
【補正対象書類名】特許請求の範囲
【補正対象項目名】全文
【補正方法】変更
【補正の内容】
【特許請求の範囲】
【請求項１】
粒状の材料を液体の材料から分離する振動機で使用される篩いの作製方法であって、４端縁すべてに沿ってフランジを有する剛性の長方形の支持フレームの上にわたって漉き網を置く工程を備え、前記漉き網は、所与の面積当り横ワイヤよりも大きい数の縦ワイヤを有し、こうしておよそ２．７〜２．８の長さと幅の比を各々が有する複数の長方形の開口を規定し、前記長さとワイヤの直径との比はおよそ５．５〜５．７であり、前記方法は、前記４つのフランジにより規定された区域内に複数の同様のサイズの長方形の開口を規定する直交した剛性の間隙構造の配列を前記フレームに設ける工程と、前記網内の長方形の開口についてのより長い寸法が前記長方形のフレームについてのより長い長さと平行になるように前記漉き網を配置する工程と、縦横両方の方向で前記網に張力をかける工程と、張力をかけた網をフランジに接合して前記網を前記フレームに固定し、こうして前記４つのフランジを境界とする網の区域内に前記張力を維持する工程と、前記網内に張力を生じさせる力を除去する工程と、前記網を前記間隙構造に接合して間隙構造同士で網内の縦横のワイヤの相対的な位置を維持する工程とを備え、こうして、網をカレンダ加工する工程なしに、織り合わされた縦横のワイヤにより規定される網内の開口の前記長さと幅の比を維持することを特徴とするる、方法。
【請求項２】
第１に挙げた網の上に第２の網が置かれ、前記フレームと接触する網に与えられる張力は第２の網における張力と異なる、請求項１に記載の方法。
【請求項３】
前記フレームと接触する網は、前記第２の網よりも粗いメッシュを有する、請求項２に記載の方法。
【請求項４】
まず１つの網が上に置かれて接合され、それから追加の網が上に置かれてフレームに接合される、請求項２または請求項３に記載の篩い作製方法。
【請求項５】
フレームに接合されるべき２つ以上の網が順に前記フレームの上に置かれ把持されて張力がかけられ、張り渡された網に張力が維持されている間に熱および圧力がかけられて、前記網を、前記フレームの端縁フランジおよび前記フレーム内の間隙構造に同時に接合し、前記張力を生じさせる力は前記接合が終了してから初めて除去され、こうして前記力が除去されたときに前記張力が前記網の縦線材および横線材にとどまる、請求項１から請求
項３のいずれかに記載の篩い作製方法。
【請求項６】
前記接合を行なうために熱可塑性材料が採用され、これは、前記プラスチック材料を、少なくとも前記網が接合されるべきフレーム部分の端縁または表面の領域において加熱し、その後前記プラスチック材料を冷却させて前記網を前記フレーム上で定位置に係留することで遂行される、請求項１から請求項５のいずれかに記載の篩い作製方法。
【請求項７】
金属フレームが採用され、前記フレームの上に前記漉き網を置く前に前記金属フレームワークが熱可塑性材料でふんだんに被覆され、前記熱可塑性材料は加熱時に軟化してその中に前記網を埋込み、冷却時に前記網を前記フレームワークに接合する、請求項１から請求項５のいずれかに記載の篩い作製方法。
【請求項８】
前記フレームはプラスチック材料から成形されて、予め組立てられたワイヤおよび／または棒の配列によって全体において強化され、前記篩いは上に張り渡される網と接触する成形物の表面を加熱してフレームの表面領域を軟化し、前記フレームが冷却したときに前記網を埋込んで接合することにより形成される、請求項１から請求項５のいずれかに記載の篩い作製方法。
【請求項９】
前記網は類似の金属組成のワイヤから織られ、同じ力が異なる網に加えられ、前記網の縦線材および横線材における張力は前記網を形成するワイヤの直径に関係する、請求項４に記載の方法に従って作製された篩い。
【請求項１０】
前記網は、異なる張力を生じさせる力を受けて、異なる網層において異なる張力を確立する、請求項４に記載の方法に従って作製された篩い。
【請求項１１】
請求項１から請求項８のいずれかに記載の方法に従って作製された、振動機で使用される篩いであって、剛性の長方形の支持フレームを備え、前記支持フレームには、漉き網が接合される４端縁すべてに沿ってフランジが設けられ、前記網の縦横のワイヤにより規定される長方形の開口部についてのより長い寸法は、前記フレームについてのより長い寸法と平行にされ、前記フレームは、前記４つのフランジ内において、複数の同様のサイズの長方形の開口部を規定する直交した剛性の間隙構造の配列を含み、前記網は、縦横のワイヤにより規定される網内の開口部の長さと幅の比を維持することを目的として前記間隙構造に接合され、前記網の縦横のワイヤは、前記フランジおよび前記間隙構造に接合される前に張力がかけられる、篩い。
【請求項１２】
第１の網が前記フレームに接合される前に、少なくとも１つのさらなる織られた漉き網が前記第１の網の上に置かれ、両方の漉き網は張力をかけられてから、単一の工程にて圧力下で前記フランジおよび前記間隙構造に接合される、請求項１１に記載の篩い。
【請求項１３】
前記第１の網には、その上に重なる網と異なる張力が存在する、請求項１２に記載の篩い。
【請求項１４】
２つの網があり、前記フレームと接触する第１の網のメッシュはその上に重なる網のメッシュよりも粗い、請求項１２または請求項１３に記載の篩い。
【請求項１５】
３つの網があり、前記フレームと接触する第１の網のメッシュはその上に重なるその他２つの網のメッシュよりも粗く、２つの重なる網のメッシュは、メッシュの粗い第１の網のメッシュよりもはるかに細かい、請求項１２または請求項１３に記載の篩い。
【請求項１６】
前記２つの重なる網のうち一方についてのメッシュサイズは、他方についてのメッシュ
サイズと実質的に同じであるが同一ではない、請求項１５に記載の篩い。
【請求項１７】
粒状の材料を液体の材料から分離する振動機で使用される篩いであって、
ａ）  ４つの端縁すべてに沿ってフランジが設けられた剛性の長方形の支持フレームと、
ｂ）  前記フレーム内に装着され、複数の同様のサイズの長方形の開口部を規定する、直交した剛性の間隙構造の配列と、
ｃ）  漉き網とを備え、前記漉き網は、所与の面積当り横ワイヤよりも大きい数の縦ワイヤを有することで複数の長方形の開口を規定し、各々の開口はおよそ２．７〜２．８の長さと幅の比を有し、前記長さとワイヤの直径との比はおよそ５．５〜５．７であり、
ｄ）  前記網は前記フレームにわたって張り渡されて縦横両方の方向で張力がかけられ、前記網が上に張り渡されるフレームおよび間隙構造の端縁に接合され、
ｅ）  こうして、前記ワイヤにおける張力、および、前記網の縦横のワイヤにより規定される前記開口の長さと幅の比が、網をカレンダ加工することなく維持される、篩い。
【請求項１８】
各々が上記のようにされた少なくとも２つの漉き網が、前記フレームの上に張り渡されて前記フレーム内の境界フランジおよび間隙構造に接合されて多層網層篩いを形成する、請求項１７に記載の篩い。
【請求項１９】
前記網のうち一方についてのメッシュサイズが他方についてのメッシュサイズと異なる、請求項１８に記載の篩い。
【請求項２０】
メッシュサイズのより小さい網がメッシュのより粗い網の上に重なり、両方の網は張力をかけられて前記フレームおよび間隙構造に接合される、請求項１９に記載の篩い。